【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
流動可能物質を分注するための、連続的にシールする一方向バルブアセンブリおよび送達システムであって、
開口部を有する、前記流動可能物質の保存のための供給源；
前記供給源の前記開口部へ連結されたバルブアセンブリであって、
（ｉ）内側コアであって、前記流動可能物質を通路の中へと受けるための入口開口部および前記通路からの少なくとも１つのポート開口部を有する、内側コア、
（ｉｉ）第ｌの端部および第２の端部を有する中空可撓性膜であって、前記第１の端部は前記第２の端部よりも厚く、ここで前記中空可撓性膜は、前記内側コアの外側表面の上に嵌め込まれ、そして前記流動可能物質が圧力の下に置かれた場合に、前記流動可能物質が前記少なくとも１つのポート開口部を通って出て前記内側コアの外側表面から外側へ前記膜を拡張し、その結果、前記流動可能物質が前記中空可撓性膜の前記第１の端部から出る、中空可撓性膜、を備える、バルブアセンブリ；
カバーであって、前記可撓性膜を取り囲み、そして圧力が前記流動可能物質に適用される場合に、前記バルブアセンブリから前記流動可能物質を分注するための出口オリフィスを有する、カバーを備え、そして
前記流動可能物質上の圧力が解放される場合に、前記中空可撓性膜の前記第１の端部が、前記内側コアの外側表面と接触するように逆に動き、その後に前記中空可撓性膜の残りの部分が前記内側コアの外側表面と接触するように逆に動く、連続的にシールする一方向バルブアセンブリおよび送達システム。
【請求項２】
前記中空可撓性膜が、前記カバー中の前記出口オリフィスに隣接して、前記中空可撓性膜の前記第１の端部に、連続的な帯を有する、請求項１に記載の連続的にシールする一方向バルブアセンブリおよび送達システム。
【請求項３】
前記膜が、第２の端部に第１のフランジを有し、そして前記カバーもまた、前記第１のフランジを押して、前記内側コアの第３のフランジと流体密接触させる第２のフランジを有する、請求項１に記載の連続的にシールする一方向バルブアセンブリおよび送達システム。
【請求項４】
前記出口オリフィスが、選択された量の前記流動可能物質を分注することができる、請求項１に記載の連続的にシールする一方向バルブアセンブリおよび送達システム。
【請求項５】
外部汚染物質が、保存のあいだ、前記バルブアセンブリと接触するのを防止するに十分なほど、前記バルブアセンブリの上に嵌り込み、そして前記バルブアセンブリとのシールを形成するようにオーバーキャップが配置されている、請求項１に記載の連続的にシールする一方向バルブアセンブリおよび送達システム。
【請求項６】
前記供給源が折り畳み式供給源を備え、前記折り畳み式供給源が、前記流動可能物質が分配されるにつれて体積が減少し得る、請求項１に記載の連続的にシールする一方向バルブアセンブリおよび送達システム。
【請求項７】
前記カバーが閉じられた出口オリフィスを有し、分注圧力が前記供給源に適用される場合に、前記閉じられた出口オリフィスが、前記カバーから前記流動可能物質を分注するために開口する、請求項１に記載の連続的にシールする一方向バルブアセンブリおよび送達システム。
【請求項８】
前記カバー中の出口オリフィスが、前記流動可能物質に対して不浸透性であり、前記出口オリフィスの内側に前記流動可能物質を保持しない、請求項７に記載の連続的にシールする一方向バルブアセンブリおよび送達システム。
【請求項９】
前記供給源が防腐剤を含まない製品で満たされている、請求項１に記載の一方向バルブアセンブリおよび送達システム。
【請求項１０】
前記防腐剤を含まない製品が、調合薬、食料品、化粧品製品および液体ビタミンのうちの１つから選択される、請求項９に記載の一方向バルブアセンブリおよび送達システム。
【請求項１１】
流動可能物質を分注するための、連続的にシールする一方向バルブアセンブリおよび送達システムであって、
開口部を有する、前記流動可能物質の保存のための供給源；
前記供給源の前記開口部へ連結されたバルブアセンブリであって、
（ｉ）内側コアであって、前記流動可能物質を通路の中へと受けるための入口開口部および前記通路からの少なくとも１つのポート開口部を有する、内側コア、
ここで該少なくとも１つのポート開口部は通路のほぼ真ん中に位置し、該少なくとも１つのポート開口部は該通路を横切って伸びる、
（ｉｉ）第ｌの端部および第２の端部を有する中空可撓性膜であって、前記第１の端部は前記第２の端部よりも厚く、ここで前記中空可撓性膜は、前記内側コアの外側表面の上に嵌め込まれ、そして前記流動可能物質が圧力の下に置かれた場合に、前記流動可能物質が前記少なくとも１つのポート開口部を通って出て前記内側コアの外側表面から外側へ前記膜を拡張し、その結果、前記流動可能物質が前記中空可撓性膜の前記第１の端部から出る、中空可撓性膜、を備える、バルブアセンブリ；
カバーであって、前記可撓性膜を取り囲み、そして圧力が前記流動可能物質に適用される場合に、前記バルブアセンブリから前記流動可能物質を分注するための出口オリフィスを有する、カバーを備え、そして
該出口オリフィスは該内側コア通路と同軸に配列され、
該出口オリフィスは前記流動可能物質に圧力が加えられていないときには閉じられ、
前記流動可能物質が分注される時、可撓性膜の出口から該出口オリフィスに、半径方向内側を流れ、
前記流動可能物質上の圧力が解放される場合に、前記中空可撓性膜の前記第１の端部が、前記内側コアの外側表面と堅く嵌り込んで接触するように逆に動き、その後に前記中空可撓性膜の残りの部分が前記内側コアの外側表面と堅く嵌り込んで接触するように逆に動く、連続的にシールする一方向バルブアセンブリおよび送達システム。
【請求項１２】
前記中空可撓性膜が、前記カバー中の前記出口オリフィスに隣接して、前記中空可撓性膜の前記第１の端部に、連続的な帯を有する、請求項１１に記載の連続的にシールする一方向バルブアセンブリおよび送達システム。
【請求項１３】
前記膜が、第２の端部に第１のフランジを有し、そして前記カバーもまた、前記第１のフランジを押して、前記内側コアの第３のフランジと流体密接触させる第２のフランジを有する、請求項１１に記載の連続的にシールする一方向バルブアセンブリおよび送達システム。
【請求項１４】
前記出口オリフィスが、選択された量の前記流動可能物質を分注することができる、請求項１１に記載の連続的にシールする一方向バルブアセンブリおよび送達システム。
【請求項１５】
外部汚染物質が、保存のあいだ、前記バルブアセンブリと接触するのを防止するに十分なほど、前記バルブアセンブリの上に嵌り込み、そして前記バルブアセンブリとのシールを形成するようにオーバーキャップが配置されている、請求項１１に記載の連続的にシールする一方向バルブアセンブリおよび送達システム。
【請求項１６】
前記供給源が折り畳み式供給源を備え、前記折り畳み式供給源が、前記流動可能物質が分配されるにつれて体積が減少し得る、請求項１１に記載の連続的にシールする一方向バルブアセンブリおよび送達システム。
【請求項１７】
前記カバーが閉じられた出口オリフィスを有し、分注圧力が前記供給源に適用される場合に、前記閉じられた出口オリフィスが、前記カバーから前記流動可能物質を分注するために開口する、請求項１１に記載の連続的にシールする一方向バルブアセンブリおよび送達システム。
【請求項１８】
前記カバー中の出口オリフィスが、前記流動可能物質に対して不浸透性であり、前記出口オリフィスの内側に前記流動可能物質を保持しない、請求項１７に記載の連続的にシールする一方向バルブアセンブリおよび送達システム。
【請求項１９】
前記供給源が防腐剤を含まない製品で満たされている、請求項１１に記載の一方向バルブアセンブリおよび送達システム。
【請求項２０】
前記防腐剤を含まない製品が、調合薬、食料品、化粧品製品および液体ビタミンのうちの１つから選択される、請求項１９に記載の一方向バルブアセンブリおよび送達システム。
【請求項２１】
流動可能物質を分注するための、連続的にシールする一方向バルブアセンブリおよび送達システムであって、
開口部を有する、前記流動可能物質の保存のための供給源；
前記供給源の前記開口部へ連結されたバルブアセンブリであって、
（ｉ）内側コアであって、前記流動可能物質を通路の中へと受けるための入口開口部および前記通路からの少なくとも１つのポート開口部を有する、内側コア、
ここで該少なくとも１つのポート開口部は通路のほぼ真ん中に位置し、
（ｉｉ）第ｌの端部および第２の端部を有する中空可撓性膜であって、前記第１の端部は前記第２の端部よりも厚く、ここで前記中空可撓性膜は、前記内側コアの外側表面の上に嵌め込まれ、そして前記流動可能物質が圧力の下に置かれた場合に、前記流動可能物質が前記少なくとも１つのポート開口部を通って出て前記内側コアの外側表面から外側へ前記膜を拡張し、その結果、前記流動可能物質が前記中空可撓性膜の前記第１の端部から出る、中空可撓性膜、を備える、バルブアセンブリ；
カバーであって、前記可撓性膜を取り囲み、そして圧力が前記流動可能物質に適用される場合に、前記バルブアセンブリから前記流動可能物質を分注するための出口オリフィスを有する、カバーを備え、そして
前記流動可能物質上の圧力が解放される場合に、前記中空可撓性膜の前記第１の端部が、前記内側コアの外側表面と堅く嵌り込んで接触するように逆に動き、その後に前記中空可撓性膜の残りの部分が前記内側コアの外側表面と堅く嵌り込んで接触するように逆に動く、連続的にシールする一方向バルブアセンブリおよび送達システム。
【請求項２２】
前記中空可撓性膜が、前記カバー中の前記出口オリフィスに隣接して、前記中空可撓性膜の前記第１の端部に、連続的な帯を有する、請求項２１に記載の連続的にシールする一方向バルブアセンブリおよび送達システム。
【請求項２３】
前記膜が、第２の端部に第１のフランジを有し、そして前記カバーもまた、前記第１のフランジを押して、前記内側コアの第３のフランジと流体密接触させる第２のフランジを有する、請求項２１に記載の連続的にシールする一方向バルブアセンブリおよび送達システム。
【請求項２４】
前記出口オリフィスが、選択された量の前記流動可能物質を分注することができる、請求項２１に記載の連続的にシールする一方向バルブアセンブリおよび送達システム。
【請求項２５】
外部汚染物質が、保存のあいだ、前記バルブアセンブリと接触するのを防止するに十分なほど、前記バルブアセンブリの上に嵌り込み、そして前記バルブアセンブリとのシールを形成するようにオーバーキャップが配置されている、請求項２１に記載の連続的にシールする一方向バルブアセンブリおよび送達システム。
【請求項２６】
少なくとも２つのポートが通路から開口する、請求項２１に記載の連続的にシールする一方向バルブアセンブリおよび送達システム。
【請求項２７】
前記カバーが閉じられた出口オリフィスを有し、分注圧力が前記供給源に適用される場合に、前記閉じられた出口オリフィスが、前記カバーから前記流動可能物質を分注するために開口する、請求項２１に記載の連続的にシールする一方向バルブアセンブリおよび送達システム。
【請求項２８】
前記カバー中の出口オリフィスが、前記流動可能物質に対して不浸透性であり、前記出口オリフィスの内側に前記流動可能物質を保持しない、請求項２７に記載の連続的にシールする一方向バルブアセンブリおよび送達システム。
【請求項２９】
前記供給源が防腐剤を含まない製品で満たされている、請求項２１に記載の一方向バルブアセンブリおよび送達システム。
【請求項３０】
前記防腐剤を含まない製品が、調合薬、食料品、化粧品製品および液体ビタミンのうちの１つから選択される、請求項２９に記載の一方向バルブアセンブリおよび送達システム。
【請求項３１】
流動可能物質を分注するための、連続的にシールする一方向バルブアセンブリおよび送達システムであって、
開口部を有する、前記流動可能物質の保存のための供給源；
前記供給源の前記開口部へ連結されたバルブアセンブリであって、
（ｉ）内側コアであって、前記流動可能物質を通路の中へと受けるための入口開口部および前記通路からの少なくとも１つのポート開口部を有する、内側コア、
ここで該少なくとも１つのポート開口部は通路のほぼ真ん中に位置し、該少なくとも１つのポート開口部は該通路を横切って伸び、
（ｉｉ）第ｌの端部および第２の端部を有する中空可撓性膜であって、前記第１の端部は前記第２の端部よりも厚く、ここで前記中空可撓性膜は、前記内側コアの外側表面の上に嵌め込まれ、そして前記流動可能物質が圧力の下に置かれた場合に、前記流動可能物質が前記少なくとも１つのポート開口部を通って出て前記内側コアの外側表面から外側へ前記膜を拡張し、その結果、前記流動可能物質が前記中空可撓性膜の前記第１の端部から出る、中空可撓性膜、を備える、バルブアセンブリ；
カバーであって、前記可撓性膜を取り囲み、そして圧力が前記流動可能物質に適用される場合に、前記バルブアセンブリから前記流動可能物質を分注するための出口オリフィスを有する、カバーを備え、そして
前記流動可能物質上の圧力が解放される場合に、前記中空可撓性膜の前記第１の端部が、前記内側コアの外側表面と堅く嵌り込んで接触するように逆に動き、その後に前記中空可撓性膜の残りの部分が前記内側コアの外側表面と堅く嵌り込んで接触するように逆に動く、連続的にシールする一方向バルブアセンブリおよび送達システム。
【請求項３２】
流動可能物質を分注するための、連続的にシールする一方向バルブアセンブリおよび送達システムであって、
開口部を有する、前記流動可能物質の保存のための供給源；
前記供給源の前記開口部へ連結されたバルブアセンブリであって、
（ｉ）内側コアであって、前記流動可能物質を通路の中へと受けるための入口開口部および前記通路からの少なくとも１つのポート開口部を有する、内側コア、
ここで該少なくとも１つのポート開口部は通路のほぼ真ん中に位置し、該少なくとも１つのポート開口部は該通路を横切って伸び、
（ｉｉ）第ｌの端部および第２の端部を有する中空可撓性膜であって、前記第１の端部は前記第２の端部よりも厚く、ここで前記中空可撓性膜は、前記内側コアの外側表面の上に嵌め込まれ、そして前記流動可能物質が圧力の下に置かれた場合に、前記流動可能物質が前記少なくとも１つのポート開口部を通って出て前記内側コアの外側表面から外側へ前記膜を拡張し、その結果、前記流動可能物質が前記中空可撓性膜の前記第１の端部から出る、中空可撓性膜、を備える、バルブアセンブリ；
カバーであって、前記可撓性膜を取り囲み、そして圧力が前記流動可能物質に適用される場合に、前記バルブアセンブリから前記流動可能物質を分注するための出口オリフィスを有する、カバーを備え、そして
該出口オリフィスは前記流動可能物質に圧力が加えられていないときには閉じられ、
該出口オリフィスは前記流動可能物質に圧力が加えられていないときには閉じられ、
前記流動可能物質上の圧力が解放される場合に、前記中空可撓性膜の前記第１の端部が、前記内側コアの外側表面と堅く嵌り込んで接触するように逆に動き、その後に前記中空可撓性膜の残りの部分が前記内側コアの外側表面と堅く嵌り込んで接触するように逆に動く、連続的にシールする一方向バルブアセンブリおよび送達システム。